(57)【要約】      （修正有）【課題】優先的に送信すべき信号の種類に応じた適切な措置を行なうことができる信号挿入装置を提供する。【解決手段】加入者アクセス網における主信号の送信中において優先して送信すべき信号が発生した時に、その種類を判定し、判定結果に基づいて優先して送信すべき信号の挿入方法を変更する。第一のタイプでは、主信号がアイドルになるまで待機した後に優先して送信すべき信号を送信し、第二のタイプでは、主信号の送信を中断し、優先して送信すべき信号を送信し、第三のタイプでは、優先して送信すべき信号が送信され、一部の主信号が廃棄されるようにする。【選択図】        図１０
2004282467.tif 000002
【特許請求の範囲】
【請求項１】
加入者アクセス網における主信号の送信中において優先して送信すべき信号が発生したときに、その種類を判定する判定手段と、
前記判定手段での判定結果に基づいて、前記主信号に対する前記優先して送信すべき信号の挿入方法を変更する変更手段とを備えた、信号挿入装置。
【請求項２】
前記変更手段は、前記判定手段での判定により、前記優先して送信すべき信号が第１のタイプであると判定されたときには、前記主信号がアイドルになるまで待機した後に前記優先して送信すべき信号を送信する、請求項１に記載の信号挿入装置。
【請求項３】
前記変更手段は、前記判定手段での判定により、前記優先して送信すべき信号が第２のタイプであると判定されたときには、前記主信号の送信を中断し、前記優先して送信すべき信号を送信する、請求項１または２に記載の信号挿入装置。
【請求項４】
前記変更手段は、前記判定手段での判定により、前記優先して送信すべき信号が第３のタイプであると判定されたときには、前記主信号がアイドルになるまで待機した後に前記優先して送信すべき信号を送信し、一部の主信号は廃棄する、請求項１〜３のいずれかに記載の信号挿入装置。
【請求項５】
加入者アクセス網における主信号の送信中において優先して送信すべき信号が発生したときに、その種類を判定する判定ステップと、
前記判定ステップでの判定結果に基づいて、前記主信号に対する前記優先して送信すべき信号の挿入方法を変更する変更ステップとを備えた、信号挿入方法。
【発明の詳細な説明】
【０００１】
【発明の属する技術分野】
この発明は信号挿入装置および信号挿入方法に関し、特に主信号の送信中に優先して送信すべき信号が発生したときに適切な送信処理を行なうことができる信号挿入装置および信号挿入方法に関する。
【０００２】
【従来の技術】
下記の特許文献１は、パケット交換データ転送方式において、情報パケットの送信中に音声パケットの送信の必要性が生じた場合に、情報パケットの送信を強制的に中断した上で音声パケットを送信し、音声パケットの送信終了後に中断された送信のデータの残りを送信する方法を開示している。この技術においては送信側で情報パケットの前半部と後半部に所定の識別子を付加し、受信側では付加された識別子をもとに分割された情報パケットの識別および復元を可能とする方法を開示している。
【０００３】
【特許文献１】
特開平１−１６２０３６号公報
【０００４】
【発明が解決しようとする課題】
上述のように、特許文献１においては情報パケットに対し、音声パケットを強制的に割込み送信する方式を開示している。しかしながら、特許文献１に開示された方法は、優先度の高いデータの送信要求が発生したときに、無条件に優先度の低いデータへ強制割込みをかける方式であり、データの目的や用途に応じて割込みの手順を変更するなどの木目細やかな対応ができないという問題がある。
【０００５】
また、特許文献１においては、受信装置側で優先度の低いデータの復元を行なうこととしており、このため、受信装置においてデータの識別および復元の処理が必要となる。また、このような識別および復元を行なうためには、送信装置と受信装置とにおいて双方合意の手順規定が必要である。
【０００６】
この発明は上述の問題点を解決するためになされたものであり、優先的に送信すべき信号の種類に応じた適切な措置を行なうことができる信号挿入装置および信号挿入方法を提供することを第１の目的としている。
【０００７】
この発明はさらに、受信装置においてデータの識別や復元などの処理を必要としない信号挿入装置および信号挿入方法を提供することを第２の目的としている。
【０００８】
【課題を解決するための手段】
上記目的を達成するため、この発明のある局面に従うと信号挿入装置は、加入者アクセス網における主信号の送信中において優先して送信すべき信号が発生したときに、その種類を判定する判定手段と、判定手段での判定結果に基づいて、主信号に対する優先して送信すべき信号の挿入方法を変更する変更手段とを備える。
【０００９】
この発明に従うと、優先して送信すべき信号が発生したときにその種類が判定され、その判定結果に基づいて優先して送信すべき信号の挿入方法が変更される。これにより、優先的に送信すべき信号の種類に応じた適切な措置を行なうことができる信号挿入装置を提供することが可能となる。
【００１０】
好ましくは変更手段は、判定手段での判定により、優先して送信すべき信号が第１のタイプであると判定されたときには、主信号がアイドルになるまで待機した後に優先して送信すべき信号を送信する。
【００１１】
この発明に従うと、優先して送信すべき信号が第１のタイプであるときには、主信号がアイドルになるまで待機した後に優先して送信すべき信号が送信される。これにより、適切に信号の送信を行なうことができる信号挿入装置を提供することが可能となる。
【００１２】
好ましくは変更手段は、判定手段での判定により、優先して送信すべき信号が第２のタイプであると判定されたときには、主信号の送信を中断し、優先して送信すべき信号を送信する。
【００１３】
この発明に従うと、優先して送信すべき信号が第２のタイプであるときには、主信号の送信が中断されるため、迅速に信号を送信することができる信号挿入装置を提供することが可能となる。
【００１４】
好ましくは変更手段は、判定手段での判定により、優先して送信すべき信号が第３のタイプであると判定されたときには、主信号がアイドルになるまで待機した後に優先して送信すべき信号を送信し、一部の主信号は廃棄する。
【００１５】
この発明に従うと、優先して送信すべき信号が第３のタイプであるときには、優先して送信すべき信号が送信され、一部の主信号が廃棄されるため、適切なタイミングで信号を送信することができる信号挿入装置を提供することが可能となる。
【００１６】
この発明の他の局面に従うと信号挿入方法は、加入者アクセス網における主信号の送信中において優先して送信すべき信号が発生したときに、その種類を判定する判定ステップと、判定ステップでの判定結果に基づいて、主信号に対する優先して送信すべき信号の挿入方法を変更する変更ステップとを備える。
【００１７】
この発明に従うと、優先して送信すべき信号が発生したときにその種類が判定され、その判定結果に基づいて優先して送信すべき信号の挿入方法が変更される。これにより、信号の種類に応じた適切な措置を行なうことができる信号挿入方法を提供することが可能となる。
【００１８】
【発明の実施の形態】
以下に図面を参照しながら、本発明の好ましい実施の形態について説明する。
【００１９】
本実施の形態においては、光加入者アクセス網に、伝送路や対向装置の監視、試験などを行なうための保守信号などを生成する場合において、主信号に対して保守信号を優先して送信するための割込み挿入が行なわれる。
【００２０】
図１は、本発明の実施の形態の１つにおける光加入者アクセス網を用いたシステムの構成を示す図である。
【００２１】
図を参照して、システムは、宅内通信装置１００と、宅側メディアコンバータ２００と、局側メディアコンバータ３００と、局内通信装置４００とから構成される。宅内通信装置１００および宅側メディアコンバータ２００の間、ならびに局側メディアコンバータ３００および局内通信装置４００の間は、光ファイバ、ＵＴＰケーブルなどで接続され、それぞれが宅内伝送路および局内伝送路を形成する。
【００２２】
また、宅側メディアコンバータ２００と局側メディアコンバータ３００との間は、光ファイバにより接続され、加入者伝送路を構成する。
【００２３】
これにより、図１の例においては宅内通信装置１００と局内通信装置４００とが１対１に接続されている。
【００２４】
局側メディアコンバータ３００は、データ通信サービスを提供する事業者などの局舎に設置される。一方、宅側メディアコンバータ２００は、データ通信サービスを受ける加入者宅に設置される。なお、この図においては宅側メディアコンバータ２００、局側メディアコンバータ３００、およびそれらを接続する光ファイバを用いた加入者伝送路により光加入者アクセス網が形成されている。
【００２５】
局側メディアコンバータ３００は局内側インタフェースを備えている。宅側メディアコンバータ２００は宅内側インタフェースを備えている。宅側メディアコンバータ２００と局側メディアコンバータ３００とは、加入者伝送路側インタフェースとの間でデータを中継する機能を持つため、これらのメディアコンバータに通信装置を接続することにより、通信装置間でデータ通信が可能となる。
【００２６】
なお、図１の例において光ファイバを銅線などに置き換えて加入者アクセス網を構成することも可能である。
【００２７】
図２は、光加入者アクセス網を用いたシステムの第２の具体例を示す図である。
【００２８】
この例においては加入者伝送路に光カプラ５００を設置することにより、局側メディアコンバータ３００に対して複数（ｎ台）の宅側メディアコンバータ２００ａ〜２００ｎを１対Ｎで接続している。宅側メディアコンバータ２００ａ〜２００ｎのそれぞれには、宅内通信装置１００ａ〜１００ｎが宅内伝送路によってそれぞれ接続されている。
【００２９】
図３は、ＴＳ−１０００で規定されるメディアコンバータの加入者伝送路側レイヤ構造、およびその実現例を示す図である。
【００３０】
なお、ここにＴＳ−１０００とは、ＴＴＣ（Ｔｅｌｅｃｏｍｍｕｎｉｃａｔｉｏｎ  Ｔｅｃｈｎｏｌｏｇｙ  Ｃｏｍｍｉｔｔｅｅ：情報通信技術委員会）仕様書「光加入者線インタフェース  −１００Ｍｂ／ｓ一心ＷＤＭ方式−」を示す。
【００３１】
ＭＡＣ  Ｃｌｉｅｎｔはスイッチ、ルータ、ソフトウェアなどにより実現される。ＲＳ／ＭＡＣレイヤは、Ｅｔｈｅｒｎｅｔ（Ｒ）  ＭＡＣデバイスにより実現される。ＰＣＳレイヤより下位のレイヤは、Ｅｔｈｅｒｎｅｔ（Ｒ）  ＰＨＹデバイスで実現される。Ｅｔｈｅｒｎｅｔ（Ｒ）  ＰＨＹデバイスは、光コネクタを介して加入者伝送路の光ファイバと接続される。
【００３２】
ＯＡＭレイヤは、ＯＡＭ  ＣＯＤＥＣデバイスで実現され、Ｅｔｈｅｒｎｅｔ（Ｒ）  ＭＡＣデバイスおよびＥｔｈｅｒｎｅｔ（Ｒ）  ＰＨＹデバイスとＭＩＩにて接続される。
【００３３】
ＯＡＭ  ＣＯＤＥＣは、対向メディアコンバータとの間で伝送路や対向装置の監視、試験、対向装置の状態情報取得などを行なうための保守信号の送受信を行なう。保守信号は、ＯＡＭ  ＣＯＤＥＣにて生成され、主信号と同一伝送路上へ割込み挿入されて対向メディアコンバータへ送信される。一方、対向メディアコンバータから受信される保守信号は、ＯＡＭ  ＣＯＤＥＣにて分離、終端され、上位レイヤへは主信号のみが中継される。なお、ＴＳ−１０００では、図１に示される網トポロジのみが規定の対象となっている。
【００３４】
図４は、ＩＥＥＥ  Ｓｔａｎｄａｒｄ  ８０２．３で規定されるメディアコンバータの加入者伝送路側レイヤ構造、およびその実現例を示す図である。
【００３５】
図を参照して、ＭＡＣ  Ｃｌｉｅｎｔは、スイッチ、ルータ、ソフトウェアなどにより実現される。ＲＳ／ＭＡＣレイヤはＥｔｈｅｒｎｅｔ（Ｒ）  ＭＡＣデバイスにより実現される。ＰＣＳレイヤより下位のレイヤは、Ｅｔｈｅｒｎｅｔ（Ｒ）  ＰＨＹデバイスで実現されており、光コネクタを介して加入者伝送路の光ファイバと接続される。なお、加入者伝送路は銅線で構成することも可能である。ＯＡＭレイヤはＯＡＭ  ＣＯＤＥＣデバイスで実現され、実際にはＥｔｈｅｒｎｅｔ（Ｒ）  ＭＡＣデバイスに包含される形態をとる。
【００３６】
ＯＡＭ  ＣＯＤＥＣは、対向メディアコンバータとの間で伝送路や対向装置の監視、試験、対向装置の状態情報／統計情報取得などを行なうための保守信号の送受信を行なう。保守信号は、ＯＡＭ  ＣＯＤＥＣにて生成され、主信号と同一伝送路上へ割込み挿入されて対向メディアコンバータへ送信される。一方、対向メディアコンバータから受信される保守信号はＯＡＭ  ＣＯＤＥＣにて分離、終端され、上位レイヤへは主信号のみが中継される。
【００３７】
なお、ＩＥＥＥ  Ｓｔａｎｄａｒｄ  ８０２．３では、図１および図２に示される網トポロジが規定対象となっており、局側メディアコンバータはＯＬＴと呼ばれる。また、宅側メディアコンバータはＯＮＵと呼ばれる。
【００３８】
なお、ＩＥＥＥ  Ｓｔａｎｄａｒｄ  ８０２．３とは、ＩＥＥＥ（Ｔｈｅ  Ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ．  Ｉｎｃ．）８０２標準「Ｐａｒｔ３：Ｃａｒｒｉｅｒ  ｓｅｎｓｅ  ｍｕｌｔｉｐｌｅ  ａｃｃｅｓｓ  ｗｉｔｈ  ｃｏｌｌｉｓｉｏｎ  ｄｅｔｅｃｔｉｏｎ  （ＣＳＭＡ／ＣＤ）  ａｃｃｅｓｓ  ｍｅｔｈｏｄ  ａｎｄ  ｐｈｙｓｉｃａｌ  ｌａｙｅｒ  ｓｐｅｃｉｆｉｃａｔｉｏｎｓ」を示す。
【００３９】
本実施の形態における加入者アクセス網を構成するメディアコンバータにおいては、ＯＡＭ  ＣＯＤＥＣが保守信号を主信号へ割込み挿入する。
【００４０】
図５は、メディアコンバータにおけるＯＡＭ  ＣＯＤＥＣの内部構造を示すブロック図である。
【００４１】
図を参照して、メディアコンバータのＯＡＭ  ＣＯＤＥＣは、上位レイヤの主信号をバッファリングする主信号バッファ（ＦＩＦＯ）２０１と、主信号バッファ２０１から主信号を受取る主信号監視部２０３と、主信号監視部２０３から受取る主信号に対して保守信号を挿入する保守信号挿入部（セレクタ）２０５と、下位レイヤから保守信号および主信号を受取る保守信号抽出部（コンパレータ）２１１と、保守信号送信イベント検出部２０７からの種別通知、または保守信号抽出部２１１から受信する保守信号データをもとに保守信号生成の必要性を判断し、保守信号を保守信号挿入部２０５へ送信する保守信号制御部２０９と、保守信号を送信すべきイベントの検出を行なう保守信号送信イベント検出部２０７とから構成される。
【００４２】
主信号バッファ２０１は、上位レイヤから受信する主信号データを主信号監視部２０３へ中継する。保守信号制御部２０９からの指示により、主信号バッファ２０１は出力のオン／オフを切換えることが可能であり、出力オフの場合には主信号データをＦＩＦＯ方式で一定量蓄積する。
【００４３】
主信号監視部２０３は、主信号バッファ２０１から受信する主信号データを保守信号挿入部２０５へ中継する。主信号の状態がビジーであるかアイドルであるかを監視し、その結果は常時保守信号制御部２０９へ通知される。
【００４４】
保守信号挿入部２０５は、主信号監視部２０３から受信する主信号データ、または保守信号制御部２０９から受信する保守信号データのいずれか一方を下位レイヤへ中継する。保守信号制御部２０９からの指示により、保守信号挿入部２０５はデータの出力を切換えることが可能である。
【００４５】
出力が選択されていない状態で受信する主信号データ、または保守信号データについては保守信号挿入部２０５において廃棄が行なわれる。
【００４６】
保守信号制御部２０９は、保守信号送信イベント検出部２０７からの種別通知、または保守信号抽出部２１１から受信する保守信号データをもとに保守信号生成の必要性を判断し、保守信号を保守信号挿入部２０５へ送信する。保守信号送信の際には、保守信号の種別に応じて主信号に対する割込み挿入手順が変えられる。
【００４７】
保守信号抽出部２１１は、下位レイヤから受信する主信号データと保守信号データとを識別し、主信号を上位レイヤへ中継し、保守信号を保守信号制御部２０９へ中継する。
【００４８】
保守信号送信イベント検出部２０７は、自装置内で発生する対向装置への保守信号送信を伴うイベントを検出し、イベントを分類した上でその種別を保守信号制御部２０９へ通知する。
【００４９】
図６は、図５のＯＡＭ  ＣＯＤＥＣが行なう処理を示すフローチャートである。
【００５０】
図を参照して、保守信号制御部２０９により、ステップＳ１において保守フレーム送信イベントが検出されたのであれば、保守信号制御部２０９は、ステップＳ２でそのイベントの種別を判定する。通常型のイベントであれば、ステップＳ３において通常型保守フレーム挿入処理が行なわれ、緊急型イベントであればステップＳ４において緊急型保守フレーム挿入処理が行なわれる。また、イベントが診断型イベントであればステップＳ５において診断型保守フレーム挿入処理が行なわれる。
【００５１】
図６に示されるように、イベントの種別判定において保守フレームの挿入方法が異なる。各々のイベント種別は以下のように分類される。
【００５２】
（Ａ）  通常型イベント
通常型イベントには、緊急度が小さい、たとえば対向装置の状態問合せ要求／応答や、自装置内の致命的でない状態変化の自律通知などが該当する。この場合は、主信号の損失を発生させないことを第１とする。主信号がビジーの場合はアイドルになるのを待ってから保守信号を挿入し、保守信号挿入中に到着する主信号については主信号バッファ２０１に蓄積し、保守信号挿入終了を待ってから中継する。
【００５３】
（Ｂ）  緊急型イベント
緊急型イベントには、緊急度が大きい、たとえば自装置内で発生した致命的な状態変化の自律通知などが該当する。この場合は、最優先で保守信号を送信すること、および極力無効な主信号を発生させないことを目的とした処理を行なう。すなわち、主信号がビジーであっても強制的に遮断した上で保守信号を挿入し、保守信号挿入中に到着する主信号については主信号バッファに蓄積し、保守信号挿入終了を待ってから中継する。但し、強制的に遮断された主信号の残りについては中継しない。
【００５４】
（Ｃ）  診断型イベント
診断型イベントには、緊急度が小さい、たとえば伝送路状態を診断するために対向装置との間で行なうループバック試験などが該当する。この場合は、診断中を除いて無効な主信号を発生させないことを目的とした処理が行なわれる。すなわち、主信号がビジーの場合にはアイドルになるのを待ってから保守信号を挿入し、診断中に到着する主信号は破棄し、診断後は主信号がアイドルになるのを待ってから中継を再開する。
【００５５】
図７は、図６の通常型フレーム挿入処理（Ｓ３）の内容を示すフローチャートである。
【００５６】
図を参照して、ステップＳ１０１において通常型保守フレーム送信イベントが検出されたのであれば、ステップＳ１０３において主信号がビジーであるかを判定する。ビジーであれば、ステップＳ１０５において主信号がアイドルになるまでウエイトする。ステップＳ１０７において、主信号バッファ２０１の出力をオフにし、ステップＳ１０９において保守信号挿入部（セレクタ）２０５を切換えることで、保守信号を選択する。そして、ステップＳ１１１において保守信号の挿入を行なう。
【００５７】
ステップＳ１１３において保守信号挿入部（セレクタ）２０５を切換えて、主信号を選択する。そして、ステップＳ１１５において主信号バッファ２０１の出力をオンにする。
【００５８】
図８は、図６の緊急型保守フレーム挿入処理（Ｓ４）の内容を示すフローチャートである。
【００５９】
図を参照して、ステップＳ２０１において緊急型保守フレーム送信イベントが検出されたのであれば、ステップＳ２０３において保守信号挿入部（セレクタ）２０５を切換えて保守信号を選択する。
【００６０】
ステップＳ２０５において保守信号を下位レイヤに対して挿入し、並行して主信号の監視を行ない、主信号がアイドルになるまでウエイトし、主信号バッファの出力をオフにする。以上の保守信号を挿入する処理と、主信号がアイドルになるまでウエイトする処理が終了したのであれば、ステップＳ２０７において保守信号挿入部（セレクタ）２０５を切換えることで、主信号を選択する。ステップＳ２０９において主信号バッファ２０１の出力をオンとする。
【００６１】
図９は、図６の診断型保守フレーム挿入処理（Ｓ５）の内容を示すフローチャートである。
【００６２】
図を参照して、ステップＳ３０１において診断型保守フレーム送信イベントが検出されたのであれば、ステップＳ３０３において主信号がビジーであるかを判定する。ビジーであれば、ステップＳ３０５において主信号がアイドルになるまでウエイトし、ステップＳ３０７において保守信号挿入部（セレクタ）２０５を切換えて保守信号を選択する。
【００６３】
そして、診断の一連処理を実行し、ステップＳ３０９において主信号がビジーであるかを判定する。ビジーであれば、ステップＳ３１１において主信号がアイドルになるまでウエイトし、ステップＳ３１３において保守信号挿入部（セレクタ）を切換えて主信号を選択する。
【００６４】
図１０は、ＴＳ−１０００に準拠するメディアコンバータにおいて、ＯＡＭ  ＣＯＤＥＣにおける本実施の形態の保守信号挿入処理を模式的に示した図である。図においては、左から右に向かう軸が時間の流れを示しており、ある時間においてどの種類の信号が送信されるかが規定されている。
【００６５】
図１０（１）においては、Ｅｔｈｅｒｎｅｔ（Ｒ）  ＭＡＣ−ＯＡＭ  ＣＯＤＥＣ間のＭＩＩの信号を示しており、主信号♯１、♯２および♯３が順に送られていることを示している。信号送信中の状態がビジー（Ｂｕｓｙ）で示されており、信号が送信されていない状態をアイドル（Ｉｄｌｅ）と示している。
【００６６】
図１０（２）は、（１）の通信において主信号♯１の送信中に通常型イベントの通知が行なわれた状態を示す図である。
【００６７】
図を参照して、主信号♯１の送信中にイベントが通知されても、それが通常型のイベントであれば主信号♯１の送信の中断は行なわれない。すなわち、イベントの通知が行なわれても、主信号がアイドルになるまで待機し、主信号バッファの出力をオフにすることで主信号♯２以降の信号は保持しながら、セレクタを切換えることで保守信号を主信号♯２の代わりに送信する。保守信号の挿入が行なわれた後に、セレクタの切換が行なわれることで主信号♯２以降の信号が送信される。
【００６８】
これにより、通常型イベントにおける保守信号の挿入が行なわれたときには、主信号の損失を発生させずに挿入処理が行なわれる。
【００６９】
図１０（３）は緊急型イベントが発生したときの処理を示す図である。
図を参照して、主信号♯１の送信中にイベントの通知が行なわれた場合には、最優先で保守信号を送信するために、主信号♯１の送信を強制的に遮断した上で、保守信号の挿入を行なう。一方、主信号の監視が行なわれ、主信号がアイドルになるまでウエイトし、主信号バッファの出力をオフにすることで、主信号♯２はバッファリングされ、保守信号の挿入が終わった後にセレクタの切換により主信号♯２以降の信号は送信される。
【００７０】
これにより、最優先で保守信号を挿入することができ、かつ極力無効な主信号を発生させないように処理を行なうことができる。
【００７１】
図１０（４）は診断型イベントが発生したときの処理を示す図である。
図を参照して、主信号♯１の送信中にイベントの通知が行なわれたときには、主信号がアイドルになるまで待機する。その後、セレクタを切換えることで保守信号の挿入が行なわれる。但し、ここでは主信号バッファの出力をオフにしないことで、保守信号の挿入中の主信号は廃棄されることとなる。この図においては、保守信号挿入中の主信号♯２は廃棄され、保守信号の挿入後には主信号♯３の中継が行なわれる。
【００７２】
【発明の効果】
以上のように、本発明によると主信号の送信中に優先して送信すべき信号が発生したときに、その種類が判定され、判定結果に基づいて主信号に対する優先して送信すべき信号の挿入方法が変更される。これにより、信号の種類に応じた適切な挿入処理を行なうことができる装置および方法を提供することが可能となる。
【図面の簡単な説明】
【図１】メディアコンバータを使用した光加入者アクセス網の具体例を示す図である。
【図２】１対Ｎ接続の場合のメディアコンバータで構成する光加入者アクセス網を示す図である。
【図３】ＴＳ−１０００で規定されるメディアコンバータの加入者伝送路側レイヤ構成、およびその実現例を示す図である。
【図４】ＩＥＥＥ  Ｓｔａｎｄａｒｄ  ８０２．３で規定されるメディアコンバータの加入者伝送路側レイヤ構成、およびその実現例を示す図である。
【図５】メディアコンバータにおけるＯＡＭ  ＣＯＤＥＣの内部構成を示す図である。
【図６】図５のＯＡＭ  ＣＯＤＥＣの行なう処理を示すフローチャートである。
【図７】図６の通常型保守フレーム挿入処理（Ｓ３）の内容を示すフローチャートである。
【図８】図６の緊急型保守フレーム挿入処理（Ｓ４）の内容を示すフローチャートである。
【図９】図６の診断型保守フレーム挿入処理（Ｓ５）の内容を示すフローチャートである。
【図１０】ＯＡＭ  ＣＯＤＥＣにおける種別毎の保守信号挿入例を示す図である。
【符号の説明】
１００  宅内通信装置、２００  宅側メディアコンバータ、２０１  主信号バッファ、２０３  主信号監視部、２０５  保守信号挿入部、２０７  保守信号送信イベント検出部、２０９  保守信号制御部、２１１  保守信号抽出部、３００局側メディアコンバータ、４００  局内通信装置。
【図１】
2004282467.tif 000003
【図２】
2004282467.tif 000004
【図３】
2004282467.tif 000005
【図４】
2004282467.tif 000006
【図５】
2004282467.tif 000007
【図６】
2004282467.tif 000008
【図７】
2004282467.tif 000009
【図８】
2004282467.tif 000010
【図９】
2004282467.tif 000011
【図１０】
2004282467.tif 000012